(57)【要約】      （修正有）【課題】必要な作業スペースを確保しながら、作業効率よく航空機の機体にエンジンを取り付けることが可能な取り付け構造を提供する。【解決手段】エンジン１０を航空機の機体に支持するために用いられるパイロン１５と、エンジン１０との間に、パイロン１５およびエンジン１０の少なくとも一方（被組付部材）に組み付けられた状態で配置される吸気口フレーム２１（エンジンオイルクーラ１７を構成する部材）は、エンジンオイルクーラ１７を構成する吸気ダクト１７１の前端を取り囲む包囲部と、吸気ダクト１７１の前端から突出する突出部とを有する。吸気口フレーム２１は、包囲部および突出部を含む全体として、パイロン１５の左側と右側とに分離可能に分割されている。また、吸気口フレーム２１は、他の部材を取り除くことなく、パイロン１５の左側と右側とから吸気ダクト１７１の外周にアクセスし、被組付部材に対して着脱可能である。【選択図】図１
2015157554.tif 000002
【特許請求の範囲】
【請求項１】
エンジンを機体に支持するために用いられるパイロンと、前記エンジンとの間に、前記パイロンおよび前記エンジンの少なくとも一方である被組付部材に組み付けられた状態で配置されるエンジン補器を構成する補機部材を備える航空機であって、
前記補機部材に接続される筒体の少なくとも端部を取り囲む包囲部と、
前記筒体の端部から突出する突出部と、を有し、
前記補機部材は、
前記包囲部および前記突出部を含む全体として、前記パイロンの左側と右側とに分離可能に分割され、
他の部材を取り除くことなく、前記パイロンの左側と右側とから前記筒体の外周にアクセスし、前記被組付部材に対して着脱可能である、
ことを特徴とする航空機。
【請求項２】
前記筒体の少なくとも一部は、蛇腹状に形成される、
ことを特徴とする請求項１に記載の航空機。
【請求項３】
前記エンジンは、
エンジン本体およびファンを備えるターボファンエンジンであり、
前記エンジン補機は、
前記パイロンと前記エンジン本体との間に配置され、前記ファンから流出するエアを熱源とする熱交換器であり、
前記包囲部により、
前記熱交換器を構成する前記筒体の少なくとも端部が取り囲まれる、
ことを特徴とする請求項１又は２に記載の航空機。
【請求項４】
前記パイロンと前記エンジン本体との間には、前記熱交換器である第１熱交換器と、前記エアを熱源とする第２熱交換器とが前後に配置され、
前記パイロンの前側および後側の少なくとも一方で、前記第１熱交換器または前記第２熱交換器を構成する前記筒体の端部が、前記包囲部により取り囲まれる、
ことを特徴とする請求項３に記載の航空機。
【請求項５】
前記包囲部により、
前記ファンに対向する前記筒体の端部が取り囲まれる、
ことを特徴とする請求項３又は４に記載の航空機。
【請求項６】
エンジン本体およびファンを備えるターボファンエンジンを航空機の機体に支持するために用いられるパイロンであって、
前記パイロンと前記エンジン本体との間に前後に配置され、前記ファンから流出するエアを熱源とする２つの熱交換器を支持し、
請求項１から５のいずれか一項に記載の航空機の前記補機部材が組み付けられ、
２つの前記熱交換器のうち前方に配置される前記熱交換器は、
前記ファンに対向する筒体を有し、
前記筒体の少なくとも前端は、
前記包囲部により取り囲まれる、
ことを特徴とする航空機のエンジンパイロン。
【請求項７】
請求項１から５のいずれか一項に記載の航空機の前記補機部材を利用して航空機の機体にエンジンを取り付ける方法であって、
前記補機部材を前記被組付部材から予め外した状態としておき、前記エンジンを前記パイロンに取り付けるステップと、
前記エンジンの取り付けを終えた後、前記筒体の少なくとも端部の外周を前記補機部材により前記パイロンの左側と右側とから取り囲み、前記被組付部材に前記補機部材を組み付けるステップと、を備える、
ことを特徴とする航空機の機体へのエンジン取付方法。
【請求項８】
請求項７に記載の航空機の機体へのエンジン取付方法における各ステップを経て、航空機を製造する方法。
【発明の詳細な説明】
【技術分野】
【０００１】
本発明は、航空機、航空機のエンジンパイロン、航空機の機体へのエンジン取付方法、および航空機の製造方法に関する。
【背景技術】
【０００２】
航空機のエンジンは、機体（主翼）にパイロンを介して支持される（例えば、特許文献１）。
主翼にエンジンを取り付ける際は、エンジンを覆うナセルやフェアリングを開き、主翼に設けられたパイロンの下方までエンジンを台車で運ぶ。そして、エンジンを吊りながら、ファスナや工具を用いてエンジンをパイロンに固定する。
【先行技術文献】
【特許文献】
【０００３】
【特許文献１】米国特許出願公開２００７／０２４５７１１
【発明の概要】
【発明が解決しようとする課題】
【０００４】
機体側の構造であるパイロンと、エンジンとの間には、種々の補器が集められて配置される。それらの補機は、エンジンまたはパイロンに組み付けられる。
それらの補機の存在により、パイロンにエンジンを取り付ける際、ファスナや工具を挿入したり、工具を動かすための作業用スペースをパイロンとエンジンとの間やその付近に確保できない場合がある。
その場合、パイロンまたはエンジンから、補器を構成する部材（例えばダクト等）を取り外して作業に必要なスペースを空けることはできるが、補器の部材を取り外してから、エンジン取付後に、その補器部材をパイロンまたはエンジンに組み付ける戻り作業が発生する。この戻り作業に大きな手間が掛かることは避けたい。
【０００５】
例えば、燃料、油圧、エンジン抽気等の配管が周囲に取り回された熱交換器のダクトを取り外し、エンジン取付後に戻すとなると、戻り作業に大きな手間が掛かる。その熱交換器ダクトを取り外すためには、周囲の配管も取り外す必要があるので、周囲の配管は取り外し可能な分割構造とする。
そして、周囲の配管を取り外してから熱交換器ダクトを取り外し、エンジンを取り付けた後、熱交換器ダクトを元の位置に組み付けてから、周囲の配管も元の位置に組み付けることとなるので、多くの戻り作業が発生する。
【０００６】
以上の課題に基づいて、本発明は、必要な作業スペースを確保しながら、作業効率よく機体にエンジンを取り付けることができる航空機、および航空機の機体へのエンジン取付方法を提供することを目的とする。
【課題を解決するための手段】
【０００７】
パイロンとエンジンとの間の補機部材のレイアウトと、工具の取り回し経路に基づいて、戻り作業が極力生じないように、本発明者が検討を重ねたところ、周囲に他の部材や配管等が配置されておらず、工具の取り回し経路に重なる補器部材を見つけることができた。それは、熱交換器のダクトの先端に設けられるフレーム状の部材であり、この部材は、ダクトの先端を取り囲んだ状態でダクトに組み付けられる。
しかし、熱交換器のダクトの先端のすぐ隣には、ファンケースがあり、エンジンの取り付けを終えた後、熱交換器のダクトの先端とファンケースとの間にそのフレーム状部材を差し込むスペースが足りない。そうすると、フレーム状部材の内側にダクト先端を挿入し、フレーム状部材によりダクト先端を取り囲むことができないので、ダクトにフレーム状部材を組み付けることができない。
【０００８】
以上を踏まえてなされた本発明は、エンジンを機体に支持するために用いられるパイロンと、エンジンとの間に、パイロンおよびエンジンの少なくとも一方である被組付部材に組み付けられた状態で配置されるエンジン補器を構成する補機部材を備える航空機であって、補機部材は、補機部材に接続される筒体の少なくとも端部を取り囲む包囲部と、筒体の端部から突出する突出部と、を有し、補機部材は、包囲部および突出部を含む全体として、パイロンの左側と右側とに分離可能に分割され、他の部材を取り除くことなく、パイロンの左側と右側とから筒体の外周にアクセスし、被組付部材に対して着脱可能であることを特徴とする。
【０００９】
本発明において、パイロンの左・右は、航空機の機体の左・右と同様である。
【００１０】
本発明においては、被組付部材に対して補機部材が着脱可能であるため、被組付部材から補機部材を予め取り外してからエンジンの取り付け作業を行うことができる。補機部材を取り外すと、補機部材において筒体とは重ならない突出部の分、パイロンとエンジンとの間に余分にスペースが残されるので、工具等を扱うための作業用スペースを確保することができる。
そして、エンジンの取り付けを終えた後、補機部材を被組付部材に組み付けようとするとき、補機部材の包囲部の内側に筒体の端部を挿入するために必要なスペースが残されていない場合であっても、補機部材の分割された部品によりパイロンの左右両側から筒体の外周を取り囲み、被組付部材に組み付けることができる。
本発明では、他の部材を取り除くことなく、パイロンの左側と右側とから筒体の外周にアクセスできるので、補機部材を被組付部材から取り外して作業スペースを空けるにあたり、他の部材を取り外す作業が発生しない。
したがって、被組付部材から取り外した補機部材をエンジン取付後に組み戻すだけで済むので、戻り作業の工数を抑えることができる。
以上により、必要な作業スペースを確保しながら、作業効率よく機体にエンジンを取り付けることができる。
【００１１】
本発明において、筒体の少なくとも一部は、蛇腹状に形成されることが好ましい。
そうすると、補機部材を取り外すことによって生じるスペースが、筒体の蛇腹を縮めることによって拡がるので、エンジンの取り付けに必要な作業用スペースを余裕を持って確保することができる。
【００１２】
本発明において、エンジンは、エンジン本体およびファンを備えるターボファンエンジンであり、エンジン補機は、パイロンとエンジン本体との間に配置され、ファンから流出するエアを熱源とする熱交換器であり、包囲部により、熱交換器を構成する筒体の少なくとも端部が取り囲まれるように構成することができる。
【００１３】
本発明において、パイロンとエンジン本体との間には、熱交換器である第１熱交換器と、ファンから流出するエアを熱源とする第２熱交換器とが前後に配置され、パイロンの前側および後側の少なくとも一方で、第１熱交換器または第２熱交換器を構成する筒体の端部が、包囲部により取り囲まれるように構成することもできる。
本発明における前・後は、航空機の機体の前・後を意味する。
【００１４】
上記構成によれば、パイロンとエンジンとの間に１つの熱交換器が配置される場合と比べて、パイロンとエンジンとの間が手狭となるため、パイロンの前側や後側で、エンジンをパイロンに取り付けるための作業用スペースが不足しがちとなる。そのため、本発明の補機部材を好適に用いることができる。
【００１５】
上述の熱交換器が、ファンに対向する筒体を備える場合、その筒体の端部が包囲部により取り囲まれることが好ましい。
ファンに対向する筒体がファンに近接していると、補機部材の包囲部の内側に筒体を挿入し、包囲部により筒体の端部を取り囲むために必要なスペースが不足しがちとなる。そのため、本発明の補機部材を好適に用いることができる。
【００１６】
また、本発明は、エンジン本体およびファンを備えるターボファンエンジンを航空機の機体に支持するために用いられるエンジンパイロンであって、パイロンとエンジン本体との間に前後に配置され、ファンから流出するエアを熱源とする２つの熱交換器を支持し、上述の航空機の補機部材が組み付けられ、２つの熱交換器のうち前方に配置される熱交換器は、ファンに対向する筒体を有し、筒体の少なくとも前端は、包囲部により取り囲まれることを特徴とする。
【００１７】
本発明は、上述の補機部材を利用して航空機の機体にエンジンを取り付ける方法にも展開することができる。
本発明の航空機の機体へのエンジン取付方法は、上述の航空機の補機部材を被組付部材から予め外した状態としておき、エンジンをパイロンに取り付けるステップと、エンジンの取り付けを終えた後、筒体の少なくとも端部の外周を補機部材によりパイロンの左側と右側とから取り囲み、被組付部材に部材を組み付けるステップと、を備えることを特徴とする。
また、本発明は、上記の各ステップを経て、航空機を製造する方法にも展開される。
【発明の効果】
【００１８】
本発明によれば、必要な作業スペースを確保しながら、作業効率よく航空機の機体にエンジンを取り付けることができる。
【図面の簡単な説明】
【００１９】
【図１】パイロンに未だ取り付けられていないターボファンエンジン（左側エンジン）を示す図である。
【図２】パイロンに未だ取り付けられていないターボファンエンジン（左側エンジン）を示す図である（吸気口フレームを取り外した状態）。
【図３】パイロンに取り付けられたターボファンエンジンを示す図である。
【図４】（ａ）および（ｂ）ともに、吸気口フレームを示す模式図である。
【図５】エンジンをパイロンに取り付ける手順を示す図である。
【発明を実施するための形態】
【００２０】
以下、添付図面を参照し、本発明の実施形態について説明する。
本発明の実施形態に係る航空機は、図１に示すターボファンエンジン１０を備える。
ターボファンエンジン１０は、図示しない主翼の下側にパイロン１５を介して支持される。
【００２１】
ターボファンエンジン１０は、エンジン本体１２と、エンジン本体１２よりも前方に配置されるファン１３とを備える。
ターボファンエンジン１０には、図示を省略するが、燃料制御装置、燃料ポンプ、点火装置、複数の熱交換器などの種々のエンジン補機が装備される。
また、ターボファンエンジン１０には、図示を省略するが、エンジン本体１２およびファン１３を包囲するナセルと、ナセルの内側でエンジン本体１２を包囲する図示しないコアカウルとが設けられる。ナセルは、エアを取り込むエアインレット１４の後側に連続する。ナセルとコアカウルとの間には、ファン１３から吐出されたエアが流れるバイパス流路が形成される。
【００２２】
パイロン１５は、主翼に設けられる構造部材である。パイロン１５は、前後方向に延出する箱状のパイロン本体１５１と、パイロン本体１５１およびエンジン本体１２を連結する複数の支柱と、パイロン本体１５１および支柱を覆う整形覆い１５２とを備える。支柱の図示は省略する。
パイロン本体１５１の内部には、燃料、油圧、およびエンジン抽気の各々の配管（ユーティリティ配管）や電気配線等が収容される。
【００２３】
ターボファンエンジン１０のエンジン補機およびエンジン補機に付随する配管等（以下、補機類）は、ナセルの内側で、エンジン本体１２およびファン１３の周囲に設置される。それらの補機類のうち、一部の補機類はパイロン本体１５１に設けられ、残りの補機類がエンジン本体１２やファン１３の外周に設けられる。
【００２４】
本実施形態では、パイロン本体１５１にエンジンオイルクーラ１７およびプリクーラ１８が設けられる。
上記のエンジンオイルクーラ１７は、パイロン本体１５１の前側で、パイロン本体１５１の下面に吊り下げられることで支持される。
プリクーラ１８は、エンジンオイルクーラ１７よりも後方で、パイロン本体１５１の下面に吊り下げられる。
エンジンオイルクーラ１７およびプリクーラ１８の周囲には、ユーティリティ配管が取り回される。
【００２５】
エンジンオイルクーラ１７は、ファン１３から流出するエアを熱源（冷熱源）とし、エンジン本体１２に用いられるエンジンオイルを冷却する熱交換器である。
プリクーラ１８は、ファン１３から流出するエアを熱源とし、エンジン本体１２からの抽気を冷却する熱交換器である。高温・高圧のエンジン抽気をそのまま機内空調等における熱源として利用することは難しいため、プリクーラ１８によりエンジン抽気を冷却してから、空調等に利用する。
【００２６】
エンジンオイルクーラ１７およびプリクーラ１８はそれぞれ、エンジン本体１２に接続される配管を有する。それらの配管を介してエンジン本体１２から大きな振動が伝わり、エンジンオイルクーラ１７やプリクーラ１８が破損することを避けるために、それらの配管には振動を減衰させるフレキシブルホースが用いられたり、振動を減衰させる機構が設けられる。
【００２７】
後述するように、エンジンオイルクーラ１７の吸気ダクト１７１は、エンジン本体１２に設けられる吸気口フレーム２１と接続される。
矩形の環状に形成される吸気口フレーム２１は、エンジン本体１２のケースであるエンジンケース１２Ａに立設されており、ファン１３から流出したエアの吸気口を形成する。
吸気口フレーム２１および吸気ダクト１７１は、ファン１３から流出したエアをエンジンオイルクーラ１７のプレートフィンタイプの本体１７０に導く流路を形成する。
本体１７０には、排気ダクト１７３が接続されている。
エンジン本体１２から吸気口フレーム２１を介してエンジンオイルクーラ１７へと伝わる振動を低減するため、吸気ダクト１７１は、長さ方向の少なくとも一部に蛇腹状に形成された振動減衰部１７２を有する。振動減衰部の形態は任意であり、複数のフランジ配管が連設された振動減衰部を構成することもできる。
【００２８】
さて、本実施形態は、ターボファンエンジン１０を機体側の構造部材であるパイロン１５に取り付けることに関する。
ターボファンエンジン１０の取り付けは、新規に設計された航空機を製造する際や、エンジンを換装した航空機を製造する際、あるいは、エンジンの不具合等に起因するエンジン交換の際に行われる。
ターボファンエンジン１０を取り付ける際、ナセルおよびフェアリングが、各々の上部に前後方向に設けられたヒンジを中心として外側に開かれる。これによってパイロン本体１５１が露出する。
そのパイロン本体１５１の下方まで、台車１９に載せたターボファンエンジン１０を運搬する。
そして、ターボファンエンジン１０をパイロン１５に吊ることによって台車１９から少し持ち上げ、パイロン本体１５１やパイロンの支柱にターボファンエンジン１０をファスナで締結する。そのときに、ファスナや締結用の工具を挿入したり、工具を動かすことを可能とする作業用スペースが必要となる。
【００２９】
パイロン本体１５１の下部と、ターボファンエンジン１０の外周との間には、パイロン本体１５１に吊り下げられたエンジンオイルクーラ１７およびプリクーラ１８や、エンジン本体１２に設けられた補機類（以下、エンジン側補機類２０）が存在する。
本実施形態は、ナセルの径に対するターボファンエンジン１０の径が典型的なケースに比べて大きいため、ナセルの内周とエンジン本体１２の外周との間の間隔が狭い。この狭い間隔に多数の補機類が配置されるために、補機類同士が近接している。ナセルの径は、地上高制限と、重量増を避けるために主脚を長くすることが難しいことから、上限が定まるので、ナセルとエンジン本体１２との間の間隔を拡げるのは難しい。
ナセルとエンジン本体１２との間の間隔が狭いために、パイロン１５とエンジン本体１２との間の間隔も狭い。このため、ターボファンエンジン１０をパイロン本体１５１に取り付ける作業は、補機類と補機類との間に残された狭いスペースにファスナや工具を挿入し、工具を動かして行うこととなる。
【００３０】
上述のように、パイロン１５とエンジン本体１２との間の間隔が狭いことから、エンジンオイルクーラ１７の下部がエンジン側補機類２０に近接している。これらの間には、ターボファンエンジン１０の取り付け後において所定のクリアランスが設定されるが、工具やファスナを扱うためにクリアランス以上のスペースが必要となる。そのため、台車１９の台の高さを抑えることにより、エンジンオイルクーラ１７とエンジン側補機類２０との間に高さＨ１のスペースを確保している。
また、同様に、プリクーラ１８とエンジン側補機類２０との間にも、工具やファスナを扱うためにクリアランス以上のスペースが必要となるので、台車１９の台の高さを抑えることにより、それらの間に高さＨ２のスペースを確保している。
【００３１】
一方、ターボファンエンジン１０の軸線方向（前後方向）において、パイロン本体１５１の後端側と、プリクーラ１８およびエンジンオイルクーラ１７の間にはスペースが残される。
しかし、パイロン本体１５１の前端側には、吸気ダクト１７１および吸気口フレーム２１が存在することにより、作業に必要なスペースが残されていない。
しかし、パイロン本体１５１の前端側には、工具やファスナを扱うための作業用スペースが必要である。
このため、吸気口フレーム２１がエンジン本体１２に対して着脱可能に構成されており、ターボファンエンジン１０をパイロン１５に取り付ける際には、図２に示すように、予め、吸気口フレーム２１をターボファンエンジン１０から取り外した状態としておく。それによって生じるスペースＳを利用してターボファンエンジン１０の取り付け作業を行う。
【００３２】
そして、図３に示すように、ターボファンエンジン１０の取り付けを終えたなら、吸気ダクト１７１の前端に吸気口フレーム２１を接続するとともに、エンジンケース１２Ａに吸気口フレーム２１を組み付ける。
吸気口フレーム２１は、図４（ａ）および（ｂ）に示すように、吸気ダクト１７１の前端を取り囲む環状の包囲部２１１と、吸気ダクト１７１の前端よりも前方に突出し、ファン１３のケースであるファンケース１３Ａの後端に対向する環状の突出部２１２と、突出部２１２よりも前方に延びるアーム部２１５と、包囲部２１１および突出部２１２の間に位置し、吸気ダクト１７１の前端に固定される固定部２１３と、エンジンケース１２Ａに固定される固定部２１４とを備える。
上述のスペースＳの寸法は、突出部２１２およびアーム部２１５の前後方向の合計の寸法に相当する。
吸気口フレーム２１は、固定部２１３が吸気ダクト１７１にファスナ等で締結されることにより、吸気ダクト１７１に対して着脱可能に固定される。
また、吸気口フレーム２１は、固定部２１４がエンジンケース１２Ａにファスナ等で締結されることにより、エンジンケース１２Ａに対して着脱可能に固定される。
【００３３】
さて、ターボファンエンジン１０の取り付けを終えると（図３）、ファンケース１３Ａの後端と、吸気ダクト１７１の前端との間には、吸気口フレーム２１の前後方向の寸法よりも小さいスペースＳしかあいていない。このため、吸気口フレーム２１をスペースＳに差し込もうとすると、吸気ダクト１７１およびファンケース１３Ａに干渉する。
吸気口フレーム２１が環状に一体に構成されているとすると、包囲部２１１の内側に吸気ダクト１７１の前端をセットするには、吸気ダクト１７１よりも前方に吸気口フレーム２１を配置して、そこから吸気口フレーム２１を後側に動かすことが必要となる。
その場合、スペースＳに吸気口フレーム２１を側方から差し込めなければ、吸気口フレーム２１を吸気ダクト１７１に接続してエンジン本体１２に組み付けることは不可能である。
【００３４】
そこで、吸気口フレーム２１は全体として、図４（ａ）に示すように、上下方向に沿った中心線Ｌの両側に二分割される。吸気口フレーム２１は、左側フレーム部品２１Ｌと、右側フレーム部品２１Ｒとを備える。
左側フレーム部品２１Ｌおよび右側フレーム部品２１Ｒは、図４（ａ）の矢印で示すように、パイロン１５の左側と右側とに分離可能であり、吸気ダクト１７１を包囲して一体に組み付けられる。
そうすると、スペースＳに吸気口フレーム２１を差し込めなくても、左側フレーム部品２１Ｌおよび右側フレーム部品２１Ｒを吸気ダクト１７１に対してパイロン１５の左右両側からアクセスして一つに合わせることにより、包囲部２１１の内側に吸気ダクト１７１の前端をセットすることができる。その状態で固定部２１３を吸気ダクト１７１の前端に固定すると、吸気ダクト１７１に吸気口フレーム２１が接続され、スペースＳには突出部２１２およびアーム部２１５が配置される。
そして、エンジンケース１２Ａに固定部２１４を固定すると、エンジン本体１２に吸気口フレーム２１が組み付けられる。
【００３５】
吸気ダクト１７１に接続された吸気口フレーム２１の左右両側には、他の補機類が存在しない。したがって、ナセルおよびその内側のコアカウルを開けば、他の補機類に妨げられることなく吸気ダクト１７１の外周にアクセスし、左側フレーム部品２１Ｌおよび右側フレーム部品２１Ｒをエンジンケース１２Ａから取り外すことが可能である。
そのため、吸気口フレーム２１をエンジン本体１２から取り外すにあたって他の補機類を取り除く作業が発生しない。
【００３６】
次に、図５を参照し、ターボファンエンジン１０をパイロン１５に取り付ける手順について説明する。
まず、機体が設置された場所に搬入されたターボファンエンジン１０のエンジン本体１２から、吸気口フレーム２１を左側フレーム部品２１Ｌ、右側フレーム部品２１Ｒともに取り外す（ステップＳ１１）。
但し、これらのフレーム部品２１Ｌ，２１Ｒがエンジン本体１２に取り付けられておらず、ターボファンエンジン１０とは分離した状態で搬入されれば、ステップＳ１１は不要となる。
【００３７】
次いで、ターボファンエンジン１０を台車１９に載せてパイロン１５の下方まで運搬する（ステップＳ１２）。
そして、パイロン１５にターボファンエンジン１０を吊り下げ、取り付け作業を開始する（ステップＳ１３）。
もし、吸気口フレーム２１がエンジン本体１２から未だ取り外されていなければ、エンジンの取り付け作業を開始する前に、吸気口フレーム２１を取り外す。
【００３８】
そして、吊り下げられたターボファンエンジン１０をパイロン本体１５１やパイロンの支柱にファスナで締結する。
このとき、パイロン本体１５１とエンジン本体１２との間には、エンジンオイルクーラ１７やプリクーラ１８とエンジン側補機類２０との間のスペース、エンジンオイルクーラ１７とプリクーラ１８との間のスペースに加えて、吸気ダクト１７１の前端とファンケース１３Ａの後端との間のスペースＳ（図２）も残される。このスペースＳを含めて、パイロン本体１５１とエンジン本体１２との間の空きスペースにファスナや工具を挿入して締結作業を行う。
ここで、吸気ダクト１７１の振動減衰部１７２が蛇腹状に形成されていると、振動減衰部１７２を縮め、余裕を持ってスペースＳを確保することができる。
【００３９】
ターボファンエンジン１０をパイロン１５に取り付ける作業を終えると、ターボファンエンジン１０に設けられる配管、配線等の接続作業を行う（ステップＳ１４）。
このステップＳ１４と前後して、吸気口フレーム２１をエンジンオイルクーラ１７の吸気ダクト１７１に接続し、エンジン本体１２に組み付ける（ステップＳ１５）。
ステップＳ１５では、左側フレーム部品２１Ｌおよび右側フレーム部品２１Ｒにより、吸気ダクト１７１の外周を左右両側から取り囲み、包囲部２１１の内側に吸気ダクト１７１の前端をセットする。そして、固定部２１３を吸気ダクト１７１に締結することにより、吸気ダクト１７１に吸気口フレーム２１を接続する。
さらに、固定部２１４をエンジンケース１２Ａに締結することにより、吸気口フレーム２１をエンジン本体１２に取り付ける。
【００４０】
上述のように、吸気口フレーム２１の左右両側には他の補機類が存在していないので、吸気口フレーム２１の取り外しに際して他の補機類を取り外す必要はない。このため、ターボファンエンジン１０をパイロン１５に取り付けた後は、吸気口フレーム２１だけをエンジン本体１２に戻せばよい。
以上のステップを経て、ターボファンエンジン１０の取り付けを完了する。
【００４１】
なお、ターボファンエンジン１０をパイロン１５から取り外す際は、事前に、吸気口フレーム２１のフレーム部品２１Ｌ，２１Ｒをエンジン本体１２から取り外す。それによって生じるスペースＳ（図３）を利用してターボファンエンジン１０の取り外し作業を行うことができる。
【００４２】
本実施形態によれば、吸気口フレーム２１を取り外してスペースＳを空けるにあたり、他の補機類を取り外す作業が発生しないので、エンジン本体１２から取り外した吸気口フレーム２１を、ターボファンエンジン１０の取付後にエンジン本体１２に戻すだけで済む。
仮に、吸気ダクト１７１を取り外すことでスペースＳを空けるとなると、吸気ダクト１７１の周囲に取り回されたユーティリティ配管を分割構造としておき、ユーティリティ配管を部分的に取り除いてから吸気ダクト１７１を取り外すこととなる。その場合、ターボファンエンジン１０の取付後に多くの戻り作業が生じるが、本実施形態では最小限の戻り作業しか生じない。
したがって、必要な作業スペースを確保しながら、作業効率よく機体にエンジンを取り付けることができる。
【００４３】
上記以外にも、本発明の主旨を逸脱しない限り、上記実施形態で挙げた構成を取捨選択したり、他の構成に適宜変更することが可能である。
吸気口フレーム２１は、パイロン１５の左側と右側とに分割されている限り、二分割にかぎらず、例えば四分割されていてもよく、部品の数は任意である。例えば、左側フレーム部品２１Ｌおよび右側フレーム部品２１Ｒの各々が上下に二分割されていてもよい。この場合、吸気口フレーム２１の左右両側に位置する他の部材を上または下にかわしながら、各部品を吸気ダクト１７１に対して着脱することができる。
【００４４】
エンジンを取り付けるにあたり取り外す補機部材としては、必要とする作業用スペースの位置や寸法に応じて適宜の補機部材を採用することができる。その補機部材は、エンジンに組み付けられるものに限らず、パイロンに組み付けられるものであってもよい。
上下方向の作業用スペースを確保する必要がある場合は、上下に延出するダクトに接続される補機部材をエンジン取付前に取り外すことができる。
【符号の説明】
【００４５】
１０      ターボファンエンジン
１２      エンジン本体
１２Ａ    エンジンケース（被組付部材）
１３      ファン
１３Ａ    ファンケース
１５      パイロン
１７      エンジンオイルクーラ（エンジン補機）
１８      プリクーラ
１９      台車
２０      エンジン側補機類
２１      吸気口フレーム（補機部材）
２１Ｌ    左側フレーム部品
２１Ｒ    右側フレーム部品
１５１    パイロン本体
１７０    本体
１７１    吸気ダクト（筒体）
１７２    振動減衰部
２１１    包囲部
２１２    突出部
２１３    固定部
２１４    固定部
２１５    アーム部
Ｌ        中心線
Ｓ        スペース
Ｓ１１〜Ｓ１５      ステップ
【図１】
2015157554.tif 000003
【図２】
2015157554.tif 000004
【図３】
2015157554.tif 000005
【図４】
2015157554.tif 000006
【図５】
2015157554.tif 000007